(57)【特許請求の範囲】
【請求項１】
ステージに載置した資料を支柱でステージの上方に支持したメインビデオカメラで撮像し、得られた画像信号を外部のビデオ画像再生機器に出力する撮像装置であって、サブビデオカメラをその撮像方向を前記ステージの手前側に向けて設置可能に設けると共に、前記メインビデオカメラの画像信号と前記サブビデオカメラの画像信号を択一的に外部のビデオ画像再生機器へ出力する切替手段を設けたことを特徴とする撮像装置。
【請求項２】
前記ステージの外周部に開口する凹所を形成すると共に該凹所を覆う蓋を設け、前記サブビデオカメラを前記凹所に格納することを特徴とする請求項１に記載の撮像装置。
【請求項３】
前記サブビデオカメラを前記凹所に埋入する位置と前記凹所から起立して撮像方向が前記ステージの手前側を向く位置に択一的に保持する保持手段を設けたことを特徴とする請求項２に記載の撮像装置。
【請求項４】
前記サブビデオカメラと前記ステージ内部の回路をコードで連結したことを特徴とする請求項２に記載の撮像装置。
【発明の詳細な説明】
【０００１】
【発明の属する技術分野】
本発明はステージに載置した図表やパンフレット、書籍、模型等の資料を支柱でステージの上方に支持したビデオカメラで撮像し、得られた画像信号をテレビ、ビデオプロジェクター等外部のビデオ画像再生機器に出力する撮像装置に関する。
【０００２】
【従来の技術】
一般にこの種の撮像装置は、ステージに載置した資料を撮像するだけでなく、ステージの手前側で操作する人物を撮像したり、ステージ後方にある被写体を撮像できるように、ビデオカメラを支柱の上端に回動可能に組付けている。
かかる撮像装置にあっては、ビデオカメラの撮影レンズをステージに向けたり、ステージの後方に向けて撮像する場合、正立の再生画像を得ることができるが、ステージの手前側にビデオカメラの撮影レンズを向けて撮像する場合、ただ単にステージの手前側に向けるだけでは、再生画像が倒立してしまう。そこで、ビデオカメラを支柱にステージの前後方向に回動可能に組付けると共に、倒立画像を正立画像に変換するため、ビデオカメラを撮影レンズの光軸を中心にして回転可能に支柱に組付けている。
【０００３】
【発明が解決しようとする課題】
しかしながら、上述した従来の撮像装置によれば、ステージの手前側にある被写体を撮像する場合、ビデオカメラをステージの手前側へ回動する操作と、ビデオカメラをその撮影レンズの光軸を中心にして回転する操作の二つの操作が必要となるため、操作に手間取り操作性が悪い。
また、ビデオカメラが支柱に組付けられているため、撮像領域が限定され、例えばステージの傍らにある被写体を撮像することはできない。
本発明はかかる問題点に鑑み、簡単な操作でステージの手前側や傍らにある被写体を撮像できる撮像装置を提供することを目的とする。
【０００４】
【課題を解決するための手段】
請求項１に記載の発明は、ステージに載置した資料を支柱でステージの上方に支持したメインビデオカメラで撮像し、得られた画像信号を外部のビデオ画像再生機器に出力する撮像装置であって、サブビデオカメラをその撮像方向を前記ステージの手前側に向けて設置可能に設けると共に、前記メインビデオカメラの画像信号と前記サブビデオカメラの画像信号を択一的に外部のビデオ画像再生機器へ出力する切替手段を設けたことを特徴とする。
請求項２に記載の発明は請求項１に記載の撮像装置において、前記ステージの外周部に開口する凹所を形成すると共に該凹所を覆う蓋を設け、前記サブビデオカメラを前記凹所に格納することを特徴とする。
請求項３に記載の発明は請求項２に記載の撮像装置において、前記サブビデオカメラを前記凹所に埋入する位置と前記凹所から起立して撮像方向が前記ステージの手前側を向く位置に択一的に保持する保持手段を設けたことを特徴とする。
請求項４に記載の発明は、請求項２に記載の撮像装置において、前記サブビデオカメラと前記ステージ内部の回路をコードで連結したことを特徴とする。
【０００５】
【発明の作用・効果】
請求項１に記載の発明によれば、サブビデオカメラでステージの手前側にある被写体を撮像してその画像信号を外部機器へ出力し、外部機器で正立のビデオ画像を再生できるので、メインビデオカメラをステージの手前側に回動操作したり、メインカメラをその撮影レンズの光軸を中心にして回転操作する必要がなく、操作性が向上する。
請求項２に記載の発明によれば、ステージの外周部に凹所を形成してサブビデオカメラを格納すると共に蓋で覆うので、メインビデオカメラを使用するときサブビデオカメラが邪魔にならず、使い勝手が良い。
請求項３に記載の発明によれば、保持手段によってサブビデオカメラを凹所に埋入したり凹所から起立させてステージの手前側に向けることができるので、より使い勝手が良くなる。
請求項４に記載の発明によれば、サブビデオカメラとステージ内部の回路をコードで連結したので、サブビデオカメラを凹所から取り出して任意の位置で任意の方向に向けることができる。このため、メインビデオカメラでは撮像できない、例えばステージの傍らに置かれた被写体等の撮像が可能となり、より一層使い勝手が向上する。
【０００６】
【発明の実施の形態】
以下に本発明を図面に基づき説明するに、図１ないし図４には本発明の一実施形態に係る撮像装置１０が示されている。当該撮像装置１０は図表、スライドフィルム、カタログ、パンフレット、書籍、模型等の資料を載置するステージ１１、ステージ１１の後側の角隅部に立設した支柱１２でステージ１１の中央部上方に支持したメインビデオカメラ１３、ステージ１１背面の両端部に組付けた左右一対のアーム１４で支持され、ステージ１１上の資料を照明する左右一対の外部照明ランプ１５、及び支柱１２の基部近傍に配置した小型のサブビデオカメラ１６を備えている。
【０００７】
ステージ１１の中央部には矩形の開口１１ａが形成され、乳白色の半透明アクリル樹脂製の拡散板１７で覆蓋され、ステージ１１面を形成している。ステージ１１の内部には、内部照明ランプが内蔵されており、フィルムのような透明資料は拡散板１７を透過した内部照明ランプの光で照明できる。ステージ１１の下方へ傾斜した前面には各種の操作スイッチ１８を配列した操作パネル１９が取付けられている。ステージ１１の反支柱側の角隅部にはモニターテレビ２０がブラケット２１とネジ２２で着脱可能に組付けられている。モニターテレビ２０の近傍に形成した凹部にメインスイッチ２３が埋設されている。
各アーム１４は図１ないし図３に示すようにステージ１１の背面から起立して外部照明ランプ１５をステージ１１の外側斜め上方に保持する起立位置と、図４に示すように外部照明ランプ１５がステージ１１に倒伏する折り畳み位置との間で回動可能に組付けられ、図示しないロック機構にて起立位置または折り畳み位置にロックできる。
【０００８】
ステージ１１の支柱基部近傍にはステージ１１面に開口する凹所２４が区画形成され、蓋２５で開閉可能に覆蓋されている。図１に示すように、蓋２５を閉じたとき、蓋２５の上面と拡散板１７及び拡散板１７の外周部が面一を成してステージ１１を構成するように形成されている。このようにステージ１１は全面にわたり凹凸のない平坦面に形成され、支柱１２、アーム１４及びブラケット２１もステージ１１の角隅に配置されているので、ステージ１１に載置した資料を自由にステージ１１の左右及び前後の両方向へ滑らせてステージ１１の外へ移動させることができる。
図５ないし図７に部分的に拡大して図示するように、ステージ１１に形成した凹所２４の内部にはサブビデオカメラ１６の下半部を格納できるケース２６が取付けられている。このケース２６の左右両側には軸部２７，２８が一体成形され、ケース２６が両軸部２７，２８を介して凹所２４の左右の壁面に上下方向へ回動可能に組付けられている。一方の軸部２７には貫通穴が形成され、サブビデオカメラ１６に接続できるジャック２９を有するコード３０が該貫通穴に挿通されている。サブビデオカメラ１６はこのコード３０を介してステージ１１内部の電気回路に接続されている。また、ステージ１１の内部にはコードリールが内設されている。
ケース２６は図５に示すように格納したサブビデオカメラ１６が凹所２４に埋入する位置と、図２、図３及び図６に示すようにサブビデオカメラ１６が凹所２４から起立してその撮影レンズがステージ１１の手前側を向く位置の間で回動可能に凹所２４に組込まれ、軸部２７，２８の摩擦抵抗で格納位置と起立位置に保持される。また、起立位置に位置決めするためのストッパー（図示略）が軸部２８の近傍に設けられている。
【０００９】
図８に撮像装置１０の主要部の機能的構成をブロック図で示す。メインビデオカメラ１３は撮影レンズ３１、ＣＣＤイメージセンサー３２、ＣＣＤイメージセンサー３２の光電信号をビデオ画像信号に変換する周知の信号処理回路３３、ＣＣＤイメージセンサー３２のドライバーに同期信号を出力する同期信号発生回路３４等を備え、撮像した被写体のビデオ画像信号はステージ１１に内蔵したセレクター３５を介して外部のテレビやビデオプロジェクター等のビデオ画像再生機器へ出力される。
一方、サブビデオカメラ１６は撮影レンズ３６、ＣＣＤイメージセンサー３７、及び信号処理回路３８を備えると共に、ＣＣＤイメージセンサー３７のドライバーにはメインビデオカメラ１３の同期信号が入力されるようにメインビデオカメラ１３の同期信号発生回路が接続され、撮像した被写体のビデオ画像信号はセレクター３５を介して外部機器へ出力される。
ステージ１１にはセレクター３５のほか、スイッチパネル１９のスイッチ操作に応じてメインビデオカメラ１３とサブビデオカメラ１６のビデオ画像信号を択一的に外部機器へ出力するためセレクター３５を切替制御するマイクロコンピューター製の制御手段３９、さらにはメインビデオカメラ１３、サブビデオカメラ１６、制御手段３９等に電源を供給する電源供給回路４０が内蔵されている。
サブビデオカメラ１６とステージ１１内部を接続するコード３０には、メインビデオカメラ１３の同期信号発生回路３４とサブビデオカメラ１６を接続する結線、サブビデオカメラ１６と電源供給回路４０を接続する結線及びサブビデオカメラ１６とセレクター３５を接続する結線が含まれている。
【００１０】
支柱１２は上下２段構造を有し、下段の支柱１２Ａの基部、上段の支柱１２Ａと下段の支柱１２Ｂの連結部のそれぞれに回動機構４１，４２が設けられている。下段の支柱１２Ａは下部回動機構４１によりステージ１１に対し上下方向に回動可能に組付けられている。上段の支柱１２Ｂは上部回動機構４２により下段の支柱１２Ａに対し上下方向に回動可能に組付けられ、上段の支柱１２Ｂの先端部にメインビデオカメラ１３が固定されている。
図９に上部回動機構４２の内部構造を示すに、下段の支柱１２Ａの内部に先端部が円形のフレーム４３がビス４４で固定され、上段の支柱１２Ｂの内部にリング形のフレーム４５がビス４６で固定されている。フレーム４３は中心孔が形成され、外周の２箇所に係止片４７，４８が折曲加工されている。フレーム４５には、フレーム４３の中心孔に回転可能に嵌合する筒軸４９が一体に突設され、外周部には係止片４７，４８に択一的に係止する係止片５０が設けられている。フレーム４３の２箇所に節度機構を構成する節度用の凹部５１，５２が形成され、フレーム４３とフレーム４５間に節度ボール５３と同ボール５３を付勢する節度スプリング（図示略）が介装されている。
【００１１】
一方の節度用凹部５１は下段の支柱１２Ａに対し上段の支柱１２Ｂを図１及び図３に示す位置に位置決めできるように配置されている。この位置では上段の支柱１２Ｂが下段の支柱１２Ａの上端部からほぼ直線的に上方へ延び、メインビデオカメラ１３はその撮影レンズ３１がステージ１１の中央部に向く位置に支持される。他方の節度用凹部５２はメインビデオカメラ１３を図２に示す位置に位置決めできるように配置されている。この位置では上段の支柱１２Ｂが下段の支柱１２Ａに対してほぼ直角の角度をなし、このときメインビデオカメラ１３の撮影レンズ３１はステージ１１の後方側に向く。
フレーム４３に設けた一方の係止片４７はメインビデオカメラ１３を図２に示す位置からさらに下方へ若干の角度だけ回動したとき係止片５０が当接してそれ以上の回動を制限できるように配置されている。他方の係止片４８は上段の支柱１２Ｂを回動したとき係止片５０に当接することで、図４に示すように上段の支柱１２Ｂを下段の支柱１２Ａに対し二つに折り畳まれる位置に位置決めできるように配置されている。上下の両支柱１２Ａ，１２Ｂ及びメインビデオカメラ１３は折り畳んだ状態ではステージ１１の外にはみ出ないように各部の寸法、形状が定められている。
なお、下部回動機構４１には下段の支柱１２Ａを図１ないし図３に示すようにステージ１１から起立する位置または、図４に示すようにステージ１１に倒伏する位置にロックするためのロック機構（図示せず）が内蔵されている。
【００１２】
本実施形態に係る撮像装置１０の構造は以上の通りであって、次にその使用方法を説明する。ステージ１１に図表等の資料を載置して外部のテレビ等でそのビデオ画像を再生するには、図１に示すようにアーム１４を起立してロックし、外部照明ランプ１５をステージ１１の外側の斜め上方に設置する。下段の支柱１２Ａを起立してロックすると共に、上段の支柱１２Ｂを回動して下段の支柱から直線的に上方へ延ばし節度機構で保持する。これにより、メインビデオカメラ１３の撮影レンズ３１がステージ１１上の資料に向けられる。附属の小型モニターテレビ２０をブラケット２１とネジ２２でステージ１１の角隅部に立設して固定する。
以上の操作で撮影準備が完了するので、メインスイッチ２３を入れ、操作パネル１９のスイッチ１８を押圧操作してメインビデオカメラ１３を作動させ、ステージ１１上の資料を撮像する。メインビデオカメラのビデオ画像信号はセレクター３５の外部出力端子から外部のテレビ等に出力され、ビデオ再生される。メインビデオカメラ１３の画像信号は同時にセレクター３５の外部出力端子からステージ１１に取り付けた附属のモニターテレビ２０へ出力され再生されるので、メインビデオカメラ１３による撮像状態を確認できる。
ステージ１１後方の被写体を撮像する場合は、図２に示すように、上段の支柱１２Ａをメインビデオカメラ１３の撮影レンズがステージ１１後方を向くように回動操作して節度機構で所定位置に保持する。
【００１３】
ステージ１１の手前側で操作する人物を撮像するような場合は、蓋２５を開いてケース２６を回動し、サブビデオカメラ１６を凹所２４から起立させる。これにより、サブビデオカメラ１６の撮影レンズ３６がステージ１１の手前側に向くので、スイッチパネル１９のスイッチ１８を操作してサブビデオカメラ１６を作動させ、サブビデオカメラ１６のビデオ画像信号をセレクター３５から外部のテレビ等へ出力すると共に附属のモニターテレビ２０で再生する。
ステージ１１の傍らに置かれた被写体のようにメインビデオカメラ１３では撮像できない位置にある被写体を撮像する場合にもサブビデオカメラ１６を使用するがこの場合には、図７に示すように、ケース２６からサブビデオカメラ１６を取り外し、コード３０を延ばして凹所２４から取り出して被写体に向ける。
【００１４】
撮像装置１０を使用しないときは、図４に示すようにサブビデオカメラ１６を凹所２４に格納して蓋２５を閉じ、下段の支柱１２Ａをステージ１１に倒伏してロックし、上段の支柱１２Ｂをステージ１１の後方側へ回動して折り畳む。さらに、アーム１４を倒して外部照明ランプ１５をステージ１１の内側に倒す。これにより撮像装置１０をコンパクトに折り畳むことができる。
【００１５】
本実施形態に係る撮像装置１０によれば、サブビデオカメラ１６でステージ１１の手前側にある被写体を撮像して外部機器で正立のビデオ画像を再生できるので、正立画像を得るためにメインビデオカメラ１３をステージ１１の手前側に向けたり、メインカメラを撮影レンズ１３の光軸を中心にして回転させる必要がなく、操作がし易い。
また、ステージ１１の外周部に凹所２４を形成してサブビデオカメラ１６を格納するとともに蓋２５で覆うので、メインビデオカメラ１３を使用するときサブビデオカメラ１６が邪魔にならず、さらに、ケース２６の回動操作だけでサブビデオカメラ１６を凹所２４に埋入したり、凹所２４から起立させてステージ１１の手前側に向けることができるので、使い勝手が良い。加えて、サブビデオカメラ１６とステージ１１内部の回路をコード３０で連結したので、サブビデオカメラ１６を凹所２４から取り出して任意の位置で任意の方向に向けることができる。このため、メインビデオカメラ１３では撮像できない、例えばステージ１１の傍らに置かれた被写体等の撮像が可能となる。
さらに、メインビデオカメラ１３の同期信号発生回路３４をサブビデオカメラ１６に共用したので、メインとサブのビデオカメラ１３，１６の切替時に外部機器のビデオ再生画像に乱れが生じるのを防止できる。
【図面の簡単な説明】
【図１】本発明の一実施形態に係る撮像装置の一使用状態を示す斜視図である。
【図２】同撮像装置の他の使用状態を示す斜視図である。
【図３】同撮像装置の他の使用状態を示す斜視図である。
【図４】同撮像装置の折り畳み状態を示す斜視図である。
【図５】同撮像装置のサブビデオカメラの格納状態を示す部分拡大斜視図である。
【図６】同撮像装置のサブビデオカメラの起立状態を示す部分拡大斜視図である。
【図７】同撮像装置のサブビデオカメラを格納部から取り出した状態を示す部分拡大斜視図である。
【図８】同撮像装置の主要部の機能的構成を示すブロック図である。
【図９】同撮像装置の支柱の上部回動機構の内部構造を示す側面図である。
【符号の説明】
１０…撮像装置、１１…ステージ、１２…支柱、１２Ａ…下段の支柱、１２Ｂ…上段の支柱、１３…メインビデオカメラ、１４…アーム、１５…外部照明装置、１６…サブビデオカメラ、１７…拡散板、１８…スイッチ、１９…スイッチパネル、２０…モニターテレビ、２１…ブラケット、２２…ネジ、２３…メインスイッチ、２４…凹所、２５…蓋、２６…ケース、２７，２８…軸部、２９…ジャック、３０…コード、３１…撮影レンズ、３２…ＣＣＤ、３３…信号処理回路、３４…同期信号発生回路、３５…セレクター、３６…撮影レンズ、３７…ＣＣＤ、３８…信号処理回路、３９…制御手段、４０…電源供給回路、４１…下部回動機構、４２…上部回動機構、４３…フレーム、４４…ビス、４５…フレーム、４６…ビス、４７，４８…係止片、４９…筒軸、５０…係止片、５１，５２…凹部、５３…ボール。
【図１】
0003630211.tif 000002
【図２】
0003630211.tif 000003
【図３】
0003630211.tif 000004
【図４】
0003630211.tif 000005
【図５】
0003630211.tif 000006
【図６】
0003630211.tif 000007
【図７】
0003630211.tif 000008
【図８】
0003630211.tif 000009
【図９】
0003630211.tif 000010